(57)【要約】      （修正有）【課題】装飾価値を高めることができる装飾装置を提供する。【解決手段】装飾装置１０は、第１装飾柄１６が形成された透明材料からなる板状の第１装飾板１８と、第２装飾柄２０が形成された透明材料からなる板状の第２装飾板２２と、各装飾板１８，２２の端面１８ｂ，２２ｂに対向して設けられた光源とを備えている。第１装飾板１８の後方には、基本柄１２が形成された表示板１４が第１装飾板１８の後面に対向して配置されている。第２装飾板２２の前方には、フィギュア２４，２６，２８を載置するフィギュア載置部８２が形成されている。各装飾柄１６，２０は、各装飾板１８，２２の前面１８ａ，２２ａおよび後面の少なくとも一方に彫り込まれて形成されている。各装飾柄１６，２０は、各装飾板１８，２２の端面１８ｂ，２２ｂからそれらの内部に入り込んだ光を乱反射させる粗面に形成されている。【選択図】図３
0003215046.tif 000002
【実用新案登録請求の範囲】
【請求項１】
装飾柄が形成された透明材料からなる板状の装飾板と、
前記装飾板の端面に対向して設けられた光源とを備え、
前記装飾板の観賞者に向けられる面を前面とし、その反対側の面を後面としたとき、前記装飾柄は、前記前面および前記後面の少なくとも一方に彫り込まれて形成されている、装飾装置。
【請求項２】
前記装飾柄は、前記端面から前記装飾板の内部に入り込んだ光を乱反射させる粗面に形成されている、請求項１に記載の装飾装置。
【請求項３】
前記装飾柄は、少なくとも前記前面に彫り込まれて形成されている、請求項１または２に記載の装飾装置。
【請求項４】
基本柄が形成された板状の表示板を備え、
前記表示板は、前記装飾板の前記後面に対向して配置されている、請求項１ないし３のいずれか１項に記載の装飾装置。
【請求項５】
前記装飾柄の少なくとも一部は、前記基本柄の一部と同じ柄に形成されている、請求項４に記載の装飾装置。
【請求項６】
複数の前記装飾板を備えており、
複数の前記装飾板のそれぞれの前記装飾柄は、互いに異なる柄に形成されている、請求項１ないし５のいずれか１項に記載の装飾装置。
【請求項７】
前記光源を収容する収容部を有するケースを備え、
前記装飾板は、前記ケースの外面に設けられており、
前記ケースには、前記光源から出射された光を前記装飾板の内部に導く導光孔が形成されている、請求項１ないし６のいずれか１項に記載の装飾装置。
【請求項８】
前記装飾板の端部には、前記導光孔に挿し込まれる突部が形成されており、
前記光源は、前記突部の端面に対向して設けられている、請求項７に記載の装飾装置。
【請求項９】
前記導光孔は、前記ケースの上面に形成されており、
前記装飾板は、前記前面および前記後面が前記ケースの上面と垂直となるように、前記ケースの上面に設けられており、
前記ケースの上面における前記装飾板よりも前方の部分には、フィギュアを載置するフィギュア載置部が形成されている、請求項７または８に記載の装飾装置。
【考案の詳細な説明】
【技術分野】
【０００１】
本考案は、装飾柄に光を照射する機能を有する装飾装置に関する。
【背景技術】
【０００２】
従来より、装飾柄が形成された部材と、装飾柄に光を照射する光源とを備える装飾装置がある。例えば、下記特許文献１には、画像（装飾柄）が彫刻されたレリーフと、画像に光を照射する照明装置（光源）とを備える画像表示装置（装飾装置）が開示されている。この画像表示装置では、照明装置がレリーフの背面に対向して設けられており、レリーフの背面から画像に光が照射される。
【先行技術文献】
【特許文献】
【０００３】
【特許文献１】特開２００８−２１３３３１号公報
【０００４】
しかしながら、特許文献１に記載された画像表示装置では、レリーフの背面に照明装置が配置されているため、レリーフを透明材料で形成した場合には、レリーフを通して照明装置が観賞者から見えるおそれがあり、装飾価値が損なわれるという問題があった。
【考案の概要】
【０００５】
本考案は上記問題に対処するためになされたものであり、その目的は、装飾価値を高めることができる装飾装置を提供することにある。
【０００６】
上記目的を達成するため、本考案に係る装飾装置は、装飾柄が形成された透明材料からなる板状の装飾板と、前記装飾板の端面に対向して設けられた光源とを備え、前記装飾板の観賞者に向けられる面を前面とし、その反対側の面を後面としたとき、前記装飾柄は、前記前面および前記後面の少なくとも一方に彫り込まれて形成されていることにある。
【０００７】
この構成では、装飾板が透明材料で形成されており、光源が装飾板の端面に対向して設けられているので、光源の光を装飾板の端面から装飾板の内部に取り込むことができ、その光を装飾柄に照射することができる。したがって、装飾柄を観賞する観賞者から光源が見え難く、装飾価値を高めることができる。
【０００８】
本考案に係る装飾装置の他の特徴は、前記装飾柄は、前記端面から前記装飾板の内部に入り込んだ光を乱反射させる粗面に形成されていることにある。
【０００９】
この構成では、装飾柄に照射された光を粗面で乱反射させることによって、その光の一部を観賞者に向かわせることができるので、観賞者が見たときには、装飾柄の全体が均質に光を放っているように見える。
【００１０】
本考案に係る装飾装置の他の特徴は、前記装飾柄は、少なくとも前記前面に彫り込まれて形成されていることにある。
【００１１】
この構成では、装飾柄に当たった光を装飾板に通すことなく観賞者に届けることができるので、観賞者に届く光の減衰を抑制できる。
【００１２】
本考案に係る装飾装置の他の特徴は、基本柄が形成された板状の表示板を備え、前記表示板は、前記装飾板の前記後面に対向して配置されていることにある。
【００１３】
この構成では、装飾板の後面に対向して表示板が配置されているので、観賞者は、透明材料からなる装飾板を通して表示板の基本柄を観賞することができる。したがって、装飾柄と基本柄との組み合わせによって、装飾価値をより高めることができる。
【００１４】
本考案に係る装飾装置の他の特徴は、前記装飾柄の少なくとも一部は、前記基本柄の一部と同じ柄に形成されていることにある。
【００１５】
この構成において、光源を駆動させていないときには、装飾柄のうち基本柄の一部と同じ柄に形成された部分は目立たない。光源を駆動させたときには、装飾柄のうち基本柄の一部と同じ柄に形成された部分が光を放つため、観賞者が見たときには、あたかも基本柄の一部が光を放っているように見えるとともに独特の立体感を与えることができる。
【００１６】
本考案に係る装飾装置の他の特徴は、複数の前記装飾板を備えており、複数の前記装飾板のそれぞれの前記装飾柄は、互いに異なる柄に形成されていることにある。
【００１７】
この構成では、複数の装飾板のそれぞれの装飾柄の組み合わせによって、装飾柄を立体的にして装飾価値をより高めることができる。
【００１８】
本考案に係る装飾装置の他の特徴は、前記光源を収容する収容部を有するケースを備え、前記装飾板は、前記ケースの外面に設けられており、前記ケースには、前記光源から出射された光を前記装飾板の内部に導く導光孔が形成されていることにある。
【００１９】
この構成では、光源から出射された光を導光孔に通して装飾板の内部に効率よく取り込むことができる。
【００２０】
本考案に係る装飾装置の他の特徴は、前記装飾板の端部には、前記導光孔に挿し込まれる突部が形成されており、前記光源は、前記突部の端面に対向して設けられていることにある。
【００２１】
この構成では、装飾板の突部を導光孔に挿し込むことによって、装飾板をケースに簡単に取り付けることができる。
【００２２】
本考案に係る装飾装置の他の特徴は、前記導光孔は、前記ケースの上面に形成されており、前記装飾板は、前記前面および前記後面が前記ケースの上面と垂直となるように、前記ケースの上面に設けられており、前記ケースの上面における前記装飾板よりも前方の部分には、フィギュアを載置するフィギュア載置部が形成されていることにある。
【００２３】
この構成では、フィギュア載置部に載置されたフィギュアの背景を装飾板で構成することができるので、フィギュアを際立たせることができる。
【図面の簡単な説明】
【００２４】
【図１】（Ａ）は、本考案の実施形態に係る装飾装置の構成を示す正面図であり、（Ｂ）は、本考案の実施形態に係る装飾装置の構成を示す平面図である。
【図２】（Ａ）は、図１（Ａ）におけるIIＡ-IIＡ線断面図であり、（Ｂ）は、図１（Ａ）におけるIIＢ-IIＢ線断面図である。
【図３】本考案の実施形態に係る装飾装置の構成を示す分解斜視図である。
【図４】装飾板の前面に彫り込まれて形成された装飾柄の構成を示す拡大断面図である。
【図５】（Ａ）は、第１変形例にかかる装飾装置を示す断面図であり、（Ｂ）は、第２変形例にかかる装飾装置を示す断面図である。
【図６】（Ａ）は、第３変形例にかかる装飾装置のケースを示す斜視図であり、（Ｂ）は、第４変形例にかかる装飾装置のケースを示す斜視図である。
【考案を実施するための形態】
【００２５】
以下、本考案に係る装飾装置の実施形態について図面を参照しながら説明する。
【００２６】
（装飾装置１０の構成）
図１（Ａ）は、本考案の実施形態に係る装飾装置１０の構成を示す正面図であり、図１（Ｂ）は、装飾装置１０の構成を示す平面図である。図２（Ａ）は、図１（Ａ）におけるIIＡ-IIＡ線断面図であり、図２（Ｂ）は、図１（Ａ）におけるIIＢ-IIＢ線断面図である。図３は、装飾装置１０の構成を示す分解斜視図である。図４は、第１装飾板１８の前面１８ａに彫り込まれて形成された第１装飾柄１６の構成を示す拡大断面図である。
【００２７】
なお、本明細書において参照する各図では、本考案の理解を容易にするために一部の構成要素を誇張して表わすなど模式的に表している。以下の説明で用いる「前後左右」の各方向は、図３に示す矢印の方向と一致する。つまり、装飾装置１０から見て観賞者（図示省略）側を「前」、その反対側を「後」、前方を向いて右側を「右」、前方を向いて左側を「左」とする。
【００２８】
図１（Ａ），（Ｂ）に示す装飾装置１０は、観賞者（図示省略）が観賞して楽しむものであり、本実施形態では、パーソナルコンピューターなどのＵＳＢ端子（図示省略）から電力供給を受けて駆動するように構成されている。なお、装飾装置１０を駆動するための電力は、電池から供給されてもよいし、電源コンセントから供給されてもよい。
【００２９】
図３に示すように、装飾装置１０は、基本柄１２が形成された表示板１４と、第１装飾柄１６が彫り込まれて形成された第１装飾板１８と、第２装飾柄２０が彫り込まれて形成された第２装飾板２２と、３つのフィギュア２４，２６，２８とを備えている。また、図２（Ａ），（Ｂ）に示すように、装飾装置１０は、光源３０と、光源３０を収容するケース３２とを備えている。
【００３０】
図３に示すように、表示板１４は、本体部３４と、本体部３４の表面に貼り付けられた柄シート３６とを有している。本体部３４は、柄シート３６を支持する板状の部材であり、アクリルやポリカーボネートなどの合成樹脂によって左右方向に長い長方形に形成されている。本体部３４の端部（本実施形態では下端部）には、ケース３２に形成された３つの貫通孔３８ａ，３８ｂ，３８ｃのそれぞれに挿し込まれる３つの突部４０ａ，４０ｂ，４０ｃが左右方向に延びて、左右方向に間隔を隔てて形成されている。
【００３１】
柄シート３６は、３つのフィギュア２４，２６，２８の背景を構成するシート状の部材であり、ポリ塩化ビニルなどの合成樹脂によって左右方向に長い長方形に形成されている。柄シート３６の表面には、基本柄１２が印刷などによって形成されている。本実施形態の基本柄１２は、舞台装置の絵であり、舞台装置には、２階部分１２ａ、階段部分１２ｂ、支柱１２ｃおよびベル１２ｄなどが含まれている。そして、柄シート３６が、接着剤や粘着剤を用いて本体部３４の前面に貼り付けられている。
【００３２】
なお、本体部３４の材料としては、合成樹脂に代えて、金属（アルミニウム、鉄など）や木材（無垢材、合板など）が用いられてもよい。また、本体部３４が透明材料で形成されている場合には、柄シート３６は、本体部３４の後面に貼り付けられてもよい。また、基本柄１２は、本体部３４の表面に印刷などによって直接形成されてもよく、この場合、柄シート３６は省略されてもよい。さらに、基本柄１２としては、舞台装置の絵に代えて、他の背景の絵が用いられてもよいし、背景の写真が用いられてもよい。
【００３３】
図３に示す第１装飾板１８は、透明合成樹脂（アクリル、ポリカーボネートなど）や透明ガラスなどの透明材料によって板状に形成されている。第１装飾板１８の端部（本実施形態では下端部）には、ケース３２に形成された２つの導光孔４２ａ，４２ｂのそれぞれに挿し込まれる２つの突部４４ａ，４４ｂが、左右方向に延びて、左右方向に間隔を隔てて形成されている。図４に示すように、第１装飾柄１６は、第１装飾板１８の前面１８ａにレーザー加工機や電動ルーターなどを用いて彫り込まれて形成されている。本実施形態の第１装飾柄１６は、第１装飾板１８の端面１８ｂ（図３）から第１装飾板１８の内部に入り込んだ光を乱反射させる微細な凹凸面からなる粗面４６に形成されている。本実施形態では、第１装飾板１８の厚さが３ｍｍに定められており、第１装飾柄１６の深さが０．１〜０．５ｍｍに定められているが、これらの寸法に限定されるものではない。なお、図４中の破線矢印は、光の方向を示している。
【００３４】
本実施形態では、第１装飾柄１６の一部が、基本柄１２の一部と同じ柄に形成されており、第１装飾柄１６の他の部分が、基本柄１２には表れていない柄に形成されている。具体的には、第１装飾柄１６の一部が、基本柄１２に含まれる２階部分１２ａ、階段部分１２ｂおよび支柱１２ｃのそれぞれの一部と同じ柄に形成されており、第１装飾柄１６の他の部分が、星柄、鎖柄および散点柄などに形成されている。なお、本実施形態では、第１装飾柄１６の一部が、基本柄１２の一部と同じ柄に形成されているが、これに代えて、第１装飾柄１６の全部が、基本柄１２の一部または全部と同じ柄に形成されてもよい。
【００３５】
図３に示す第２装飾板２２は、透明合成樹脂（アクリル、ポリカーボネートなど）や透明ガラスなどの透明材料によって板状に形成されている。第２装飾板２２の端部（本実施形態では下端部）には、ケース３２に形成された３つの導光孔４８ａ，４８ｂ，４８ｃのそれぞれに挿し込まれる３つの突部５０ａ，５０ｂ，５０ｃが、左右方向に延びて、左右方向に間隔を隔てて形成されている。第２装飾柄２０は、第２装飾板２２の前面２２ａにレーザー加工機や電動ルーターなどを用いて彫り込まれて形成されている。本実施形態の第２装飾柄２０は、第２装飾板２２の端面２２ｂから第２装飾板２２の内部に入り込んだ光を乱反射させる粗面（図示省略）に形成されている。本実施形態では、第２装飾板２２の厚さが３ｍｍに定められており、第２装飾柄２０の深さが０．１〜０．５ｍｍに定められているが、これらの寸法に限定されるものではない。
【００３６】
本実施形態では、第２装飾柄２０の一部が、基本柄１２の一部と同じ柄に形成されており、第２装飾柄２０の他の部分が、基本柄１２には表れていない柄に形成されている。具体的には、第２装飾柄２０の一部が、基本柄１２に含まれる階段部分１２ｂ、支柱１２ｃおよびベル１２ｄのそれぞれの一部と同じ柄に形成されており、第２装飾柄２０の他の部分が、星柄、鎖柄および散点柄などに形成されている。第１装飾板１８の第１装飾柄１６と第２装飾板２２の第２装飾柄２０とは、互いに異なる柄に形成されている。なお、本実施形態では、第２装飾柄２０の一部が、基本柄１２の一部と同じ柄に形成されているが、これに代えて、第２装飾柄２０の全部が、基本柄１２の一部または全部と同じ柄に形成されてもよい。
【００３７】
図３に示すように、第１フィギュア２４は、本体部５２と、本体部５２の表面に貼り付けられた柄シート５４とを有している。本体部５２は、柄シート５４を支持する板状の部材であり、アクリルやポリカーボネートなどの合成樹脂で形成されている。本体部５２の端部（本実施形態では下端部）には、ケース３２に形成された５つの貫通孔５６ａ，５６ｂ，５６ｃ，５６ｄ，５６ｅのいずれ１つに挿し込まれる突部５２ａが形成されている。
【００３８】
柄シート５４は、第１フィギュア２４に固有の第１固有柄５４ａが形成されたシート状の部材であり、ポリ塩化ビニルなどの合成樹脂によって形成されている。本実施形態の第１固有柄５４ａは、具体的には、頭にリボンを付けた少女の柄であり、印刷などによって形成されている。そして、この柄シート５４が、接着剤や粘着剤を用いて本体部５２の前面に貼り付けられている。
【００３９】
なお、本体部５２の材料としては、合成樹脂に代えて、金属（アルミニウム、鉄など）や木材（無垢材、合板など）が用いられてもよい。また、本体部５２が透明材料で形成されている場合には、柄シート５４は、本体部５２の後面に貼り付けられてもよい。また、第１固有柄５４ａは、本体部５２の表面に印刷などによって直接形成されてもよく、この場合、柄シート５４は省略されてもよい。さらに、第１固有柄５４ａとしては、少女の絵に代えて、他の絵が用いられてもよいし、写真が用いられてもよい。
【００４０】
第２フィギュア２６および第３フィギュア２８は、第１フィギュア２４とほぼ同様に形成されている。第２フィギュア２６は、本体部５８と、第２固有柄６０ａが形成された柄シート６０とを有しており、本体部５８の端部（本実施形態では下端部）には、突部５８ａが形成されている。本実施形態の第２固有柄６０ａは、具体的には、左足を上げた少女の柄であり、印刷などによって形成されている。第３フィギュア２８は、本体部６４と、第３固有柄６６ａが形成された柄シート６６とを有しており、本体部６４の端部（本実施形態では下端部）には、突部６４ａが形成されている。本実施形態の第３固有柄６６ａは、具体的には、帽子を被った少女の柄であり、印刷などによって形成されている。
【００４１】
図２（Ａ），（Ｂ）に示すように、光源３０は、２本の帯状の配線基板７０ａ，７０ｂと、パーソナルコンピューターなどのＵＳＢ端子（図示省略）に挿し込まれるＵＳＢプラグ７２と、各配線基板７０ａ，７０ｂとＵＳＢプラグ７２とを電気的に接続する配線７４とを有している。一方の配線基板７０ａには、複数（本実施形態では６個）の発光部７６が長さ方向に間隔を隔てて設けられており、他方の配線基板７０ｂには、複数（本実施形態では６個）の発光部７８が長さ方向に間隔を隔てて設けられている。発光部７６，７８のそれぞれは、赤、青、緑の３色の発光ダイオード（図示省略）を有しており、これらの発光ダイオードが所定の時間間隔で順番に発光するように構成されている。
【００４２】
図２（Ａ），（Ｂ）に示すように、ケース３２は、光源３０を収容する収容部８０を有する箱状の部材であり、本実施形態では、アクリルやポリカーボネートなどの合成樹脂によって左右方向に長い直方体状に形成されている。図３に示すように、ケース３２の上面３２ａの後端部には、上記３つの貫通孔３８ａ，３８ｂ，３８ｃが、左右方向に延びて、左右方向に間隔を隔てて形成されている。上面３２ａにおける貫通孔３８ａ，３８ｂ，３８ｃの前方には、上記２つの導光孔４２ａ，４２ｂが、左右方向に延びて、左右方向に間隔を隔てて形成されている。上面３２ａにおける導光孔４２ａ，４２ｂの前方には、上記３つの導光孔４８ａ，４８ｂ，４８ｃが、左右方向に延びて、左右方向に間隔を隔てて形成されている。
【００４３】
さらに、上面３２ａにおける導光孔４８ａ，４８ｂ，４８ｃの前方には、上記５つの貫通孔５６ａ，５６ｂ，５６ｃ，５６ｄ，５６ｅが、互いに間隔を隔てて円弧状に並んで形成されている。上面３２ａにおける貫通孔５６ａ，５６ｂ，５６ｃ，５６ｄ，５６ｅが形成された部分は、フィギュア２４，２６，２８が載置されるフィギュア載置部８２である。つまり、本実施形態では、ケース３２の上面３２ａにおける第１装飾板１８および第２装飾板２２よりも前方の部分にフィギュア載置部８２が形成されている。図２（Ａ）に示すように、ケース３２の左壁部８４には、光源３０の配線７４を引き出す窓８４ａが形成されている。
【００４４】
（装飾装置１０の作動）
装飾装置１０を組み立てる際には、図２（Ａ），（Ｂ）に示すように、ケース３２の収容部８０に光源３０の各配線基板７０ａ，７０ｂを収容するとともに、窓８４ａから配線７４を引き出す。各配線基板７０ａ，７０ｂを収容部８０に収容するとき、６つの発光部７６のそれぞれを２つの導光孔４２ａ，４２ｂのそれぞれに対向するように配置し、６つの発光部７８のそれぞれを、３つの導光孔４８ａ，４８ｂ，４８ｃのそれぞれに対向するように配置する。
【００４５】
次に、図３に示すように、表示板１４の各突部４０ａ，４０ｂ，４０ｃをケース３２の各貫通孔３８ａ，３８ｂ，３８ｃに挿し込むことによって、表示板１４をケース３２の上面３２ａに取り付ける。また、第１装飾板１８の各突部４４ａ，４４ｂをケース３２の各導光孔４２ａ，４２ｂに挿し込むことによって、第１装飾板１８をケース３２の上面３２ａに取り付ける。また、第２装飾板２２の各突部５０ａ，５０ｂ，５０ｃをケース３２の各導光孔４８ａ，４８ｂ，４８ｃに挿し込むことによって、第２装飾板２２をケース３２の上面３２ａに取り付ける。さらに、各フィギュア２４，２６，２８の各突部５２ａ，５８ａ，６４ａをケース３２の各貫通孔５６ａ，５６ｂ，５６ｃ，５６ｄ，５６ｅのいずれかに挿し込むことによって、各フィギュア２４，２６，２８をケース３２の上面３２ａに取り付ける。図２（Ｂ）に示すように、第１装飾板１８および第２装飾板２２をケース３２の上面３２ａに取り付けた状態において、これらの前面１８ａ，２２ａおよび後面１８ｃ，２２ｃは、ケース３２の上面３２ａに対して垂直となる。
【００４６】
図２（Ａ）に示すように、完成した装飾装置１０において、光源３０の各発光部７６は、第１装飾板１８の端面１８ｂに対向して配置されており、光源３０の各発光部７８は、第２装飾板２２の端面２２ｂに対向して配置されている。したがって、光源３０を駆動させたときには、各発光部７６から出射された光を端面１８ｂから第１装飾板１８の内部に取り込むことができ、その光を第１装飾柄１６（図３）に照射することができる。また、各発光部７８から出射された光を端面２２ｂから第２装飾板２２の内部に取り込むことができ、その光を第２装飾柄２０（図３）に照射することができる。なお、図２（Ｂ）中の破線矢印は、光の方向を示している。また、図２（Ｂ）に示すように、表示板１４は、第１装飾板１８の後面１８ｃに対向して配置されている。したがって、観賞者は、透明材料からなる各装飾板１８，２２を通して表示板１４の基本柄１２（図３）を観賞することができる。
【００４７】
（実施形態の効果）
本実施形態によれば、上記構成により、以下の各効果を奏することができる。つまり、図２（Ｂ）に示す光源３０の光を各装飾板１８，２２の端面１８ｂ，２２ｂから各装飾板１８，２２の内部に取り込むことができ、その光を各装飾柄１６，２０（図３）に照射することができる。したがって、各装飾柄１６，２０を観賞する観賞者から光源３０が見え難く、装飾価値を高めることができる。
【００４８】
図４に示すように、各装飾柄１６（２０）に照射された光を粗面４６で乱反射させることによって、その光の一部を観賞者に向かわせることができるので、観賞者が見たときには、各装飾柄１６（２０）の全体が均質に光を放っているように見える。また、各装飾柄１６（２０）は、前面１８ａ（２２ａ）に彫り込まれて形成されているので、各装飾柄１６（２０）に当たった光を各装飾板１８（２２）に通すことなく観賞者に届けることができ、観賞者に届く光の減衰を抑制できる。
【００４９】
図２（Ｂ）に示すように、観賞者は、透明材料からなる各装飾板１８，２２を通して表示板１４の基本柄１２（図３）を観賞することができるので、各装飾柄１６，２０（図３）と基本柄１２（図３）との組み合わせによって、装飾価値をより高めることができる。
【００５０】
図３に示すように、第１装飾柄１６および第２装飾柄２０のそれぞれの少なくとも一部は、基本柄１２の一部と同じ柄に形成されているので、光源３０を駆動させていないときには、各装飾柄１６，２０のうち基本柄１２の一部と同じ柄に形成された部分は目立たない。光源３０を駆動させたときには、各装飾柄１６，２０のうち基本柄１２の一部と同じ柄に形成された部分が光を放つため、観賞者が見たときには、あたかも基本柄１２の一部が光を放っているように見える。また、各装飾柄１６，２０は、互いに異なる柄に形成されているので、これらの組み合わせによって、装飾価値をより高めることができる。
【００５１】
図３に示すように、ケース３２の上面３２ａに導光孔４２ａ，４２ｂと導光孔４８ａ，４８ｂ，４８ｃが形成されているので、光源３０から出射された光を、各導光孔４２ａ，４２ｂに通して第１装飾板１８の端面１８ｂからその内部に効率よく取り込むことができる。また、光源３０から出射された光を、各導光孔４８ａ，４８ｂ，４８ｃに通して第２装飾板２２の端面２２ｂからその内部に効率よく取り込むことができる。
【００５２】
図３に示すように、第１装飾板１８の端部には、突部４４ａ，４４ｂが形成されているので、各突部４４ａ，４４ｂを導光孔４２ａ，４２ｂに挿し込むことによって、第１装飾板１８をケース３２に簡単に取り付けることができる。また、第２装飾板２２の端部には、突部５０ａ，５０ｂ，５０ｃが形成されているので、各突部５０ａ，５０ｂ，５０ｃを導光孔４８ａ，４８ｂ，４８ｃに挿し込むことによって、第２装飾板２２をケース３２に簡単に取り付けることができる。
【００５３】
図２（Ｂ）に示すように、ケース３２の上面３２ａにおける各装飾板１８，２２よりも前方の部分には、フィギュア載置部８２が形成されているので、フィギュア載置部８２に載置されたフィギュア２４，２６，２８の背景を各装飾板１８，２２で構成でき、フィギュア２４，２６，２８を際立たせることができる。また、フィギュア載置部８２には、内部に関するする貫通孔５６ａ，５６ｂ，５６ｃ，５６ｄ，５６ｅが形成されているため、光源３０から出射された光の一部が貫通孔５６ａ，５６ｂ，５６ｃ，５６ｄ，５６ｅから漏れまたはフィギュア２４，２６，２８内に導かれることでより華やかに見せることができる。なお、貫通孔５６ａ，５６ｂ，５６ｃ，５６ｄ，５６ｅは、光源３０から出射された光が漏れない形状に構成することも可能である。
【００５４】
（変形例）
図５（Ａ）は、第１変形例にかかる装飾装置８６を示す断面図であり、図５（Ｂ）は、第２変形例にかかる装飾装置８８を示す断面図である。図６（Ａ）は、第３変形例にかかる装飾装置（図示省略）のケース９０を示す斜視図であり、図６（Ｂ）は、第４変形例にかかる装飾装置（図示省略）のケース９２を示す斜視図である。本考案の実施にあたっては、上記実施形態に限定されず、本考案の目的を逸脱しない限りにおいて種々の変更が可能である。
【００５５】
図２（Ｂ）に示すように、上記実施形態では、光源３０が各装飾板１８，２２の下側の端面１８ｂ，２２ｂに対向して設けられているが、光源３０は、各装飾板１８，２２の左側または右側の端面に対向して設けられてもよいし、上側の端面に対向して設けられてもよい。また、上記実施形態では、各装飾柄１６，２０が、各装飾板１８，２２の前面１８ａ，２２ａに彫り込まれて形成されているが、各装飾柄１６，２０の一部または全部は、各装飾板１８，２２の後面１８ｃ，２２ｃに彫り込まれて形成されてもよい。つまり、各装飾柄１６，２０は、前面１８ａ，２２ａおよび後面１８ｃ，２２ｃの少なくとも一方に彫り込まれて形成されていればよい。さらに、各装飾柄１６，２０は、各装飾板１８，２２の内部に入り込んだ光を前方に屈折させるプリズム状に形成されてもよい。この場合、各装飾柄１６，２０の底部の断面形状は、三角形や半円形に形成されてもよいし、その他の形状に形成されてもよい。
【００５６】
本考案に係る装飾装置の装飾板の数は、２枚に限定されるものではなく、１枚または３枚以上にされてもよい。また、表示板１４、フィギュア２４，２６，２８およびフィギュア載置部８２は省略されてもよい。図５（Ａ）に示す第１変形例にかかる装飾装置８６では、フィギュア２４，２６，２８およびフィギュア載置部８２（図３）が省略されており、ケース９４の前後方向長さが短くされている。図５（Ｂ）に示す第２変形例にかかる装飾装置８８では、表示板１４、第２装飾板２２、フィギュア２４，２６，２８およびフィギュア載置部８２（図３）が省略されており、ケース９６の前後方向長さがさらに短くされている。第１変形例にかかる装飾装置８６では、表示板１４、第１装飾板１８および第２装飾板２２によって装飾効果を奏することができる。第２変形例にかかる装飾装置８８では、第１装飾板１８によって装飾効果を奏することができる。
【００５７】
また、フィギュア２４，２６，２８を設ける場合においては、その数や形状は自由に設定することができる。したがって、フィギュア２４，２６，２８は、人間以外のもの、例えば、動物、建物、乗り物または食品などで構成することができる。また、フィギュア２４，２６，２８は、フィギュア載置部８２上の貫通孔５６ａ，５６ｂ，５６ｃ，５６ｄ，５６ｅに挿し込んで配置するように構成した。しかし、フィギュア２４，２６，２８は、底部を平面板状などに形成することにより、フィギュア載置部８２上に載置して配置するように構成することもできる。これにより、フィギュア２４，２６，２８を自由な位置に配置できるとともに、貫通孔５６ａ，５６ｂ，５６ｃ，５６ｄ，５６ｅを省略することもできる。
【００５８】
上記実施形態では、図３に示すケース３２が合成樹脂によって形成されているが、ケース３２の材料としては、合成樹脂に代えて、金属（アルミニウム、鉄など）や木材（無垢材、合板など）が用いられてもよい。また、上記実施形態では、図３に示すケース３２が直方体状に形成されているが、本考案にかかる装飾装置において、ケースは、多角柱状（五角柱、六角柱など）や円盤状に形成されてもよい。
【００５９】
図６（Ａ）に示す第３変形例にかかる装飾装置（図示省略）のケース９０は、直方体状の第１部分１００と、半円盤状の第２部分１０２とを有しており、これらが木材（無垢材、合板など）によって一体的に形成されている。第１部分１００には、光源３０（図２（Ａ），（Ｂ））を収容する収容部１０４が形成されている。第１部分１００の上面１００ａには、表示板１４（図３）を取り付けるための貫通孔３８ａ，３８ｂ，３８ｃと、第１装飾板１８（図３）を取り付けるための導光孔４２ａ，４２ｂと、第２装飾板２２（図３）を取り付けるための導光孔４８ａ，４８ｂ，４８ｃとが形成されている。さらに、第１部分１００の上面１００ａには、フィギュア２４，２６，２８を取り付けるための貫通孔５６ａ，５６ｂ，５６ｃ，５６ｄ，５６ｅが形成されている。
【００６０】
図６（Ｂ）に示す第４変形例にかかる装飾装置（図示省略）のケース９２は、直方体状の第１部分１０６と、平面視で半八角形状の第２部分１０８とを有しており、これらが木材（無垢材、合板など）によって一体的に形成されている。第１部分１０６には、光源３０（図２（Ａ），（Ｂ））を収容する収容部１１０が形成されている。第１部分１０６の上面１０６ａには、表示板１４（図３）を取り付けるための貫通孔３８ａ，３８ｂ，３８ｃと、第１装飾板１８（図３）を取り付けるための導光孔４２ａ，４２ｂと、第２装飾板２２（図３）を取り付けるための導光孔４８ａ，４８ｂ，４８ｃとが形成されている。さらに、第１部分１０６の上面１０６ａには、フィギュア２４，２６，２８を取り付けるための貫通孔５６ａ，５６ｂ，５６ｃ，５６ｄ，５６ｅが形成されている。第２部分１０８の前部に位置する３つの角部１１２ａ，１１２ｂ，１１２ｃでは、それらの上面が外周縁に向かうにつれて低くなるように傾斜して形成されている。
【００６１】
これらのケース９０，９２は、直方体状のケース３２（図３）に比べて高級感があり、装飾装置の装飾価値をより高めることができる。また、ケース９０，９２では、第２部分１０２，１０８の上面１０２ａ，１０８ａに携帯電話や時計などを載置することができる。なお、ケース９０，９２の材料としては、木材に代えて、合成樹脂（アクリル、ポリカーボネートなど）や金属（アルミニウム、鉄など）が用いられてもよい。
【符号の説明】
【００６２】
１０…装飾装置、１２…基本柄、１４…表示板、１６…第１装飾柄、１８…第１装飾板、２０…第２装飾柄、２２…第２装飾板、１８ｂ，２２ｂ…端面、２４，２６，２８…フィギュア、３０…光源、４６…粗面、８２…フィギュア載置部。
【図１】
0003215046.tif 000003
【図２】
0003215046.tif 000004
【図３】
0003215046.tif 000005
【図４】
0003215046.tif 000006
【図５】
0003215046.tif 000007
【図６】
0003215046.tif 000008